(57)【要約】【課題】間欠受信における休止期間直前の温度が常温とは異なっている場合でも、起動タイミングの正規のタイミングからのずれをより小さくする。【解決手段】主クロック信号の周波数よりも低い発振周波数でクロック信号を発振する発振器１とタイマ設定値とを用いて間欠受信制御を行う移動通信装置において、温度検出部３は、発振器１の周囲温度を検出する。補正値決定部４は、間欠受信における非休止期間が終了するときに温度検出部３によって検出された周囲温度の常温からの差に対応する周波数偏差に応じた補正値を決定する。温度補償部５は、補正値決定部４が決定した補正値でタイマ設定値を補正する。例えば、補正値をタイマ設定値に加算する。間欠タイマ部２は、発振器１が出力するクロック信号をカウントし、カウント値が補正後のタイマ設定値になったときに、間欠受信における非休止期間の開始タイミングを示すタイミング信号を発生する。【選択図】図１
2009290826.tif 000002
【特許請求の範囲】
【請求項１】
主タイマ部が作成する主クロック信号を用いて送受信動作を行う無線部を備え間欠受信制御を行う移動通信装置の間欠受信方式であって、
前記主クロック信号の周波数よりも低い発振周波数でクロック信号を発振し、周囲温度の変動に応じて周波数偏差を生ずる特性を有する発振器と、
前記発振器が出力するクロック信号をカウントし、カウント値がタイマ設定値になったときに、間欠受信における非休止期間の開始タイミングを示すタイミング信号を発生する間欠タイマ部と、
前記発振器の周囲温度を検出するための温度検出部と、
間欠受信における非休止期間が終了するときに前記温度検出部が検出した周囲温度の常温からの差に対応する周波数偏差に応じた補正値を決定する補正値決定部と、
前記補正値決定部が決定した補正値で前記タイマ設定値を補正する温度補償部とを備えた
ことを特徴とする移動通信装置の間欠受信方式。
【請求項２】
前記主タイマ部が作成する主クロック信号と間欠タイマ部が発生したタイミング信号との位相差を検出する位相差検出部と、
前記位相差検出部が検出した位相差に応じた値でタイマ設定値を補正するタイマ設定値補正部とを備えた
請求項１記載の移動通信装置の間欠受信方式。
【請求項３】
間欠受信における休止期間が終了するときに温度検出部が検出した周囲温度に応じて、位相差検出部に入力されるタイミング信号の位相を補正する位相補正部を備えた
請求項１または請求項２記載の移動通信装置の間欠受信方式。
【請求項４】
補正値決定部は、複数の周囲温度のそれぞれにおける発振器の発振周波数のクロック信号を休止期間中にカウントした場合のカウント値と、常温における発振器の発振周波数のクロック信号を休止期間中にカウントした場合のカウント値との差の値が補正値として設定されたデータテーブルを含む
請求項１から請求項３のうちのいずれかに記載の移動通信装置の間欠受信方式。
【請求項５】
補正値決定部は、複数の周囲温度のそれぞれにおける発振器の発振周波数のクロック信号を休止期間中にカウントした場合のカウント値と、常温における発振器の発振周波数のクロック信号を休止期間中にカウントした場合のカウント値との差の値を補正値として算出する
請求項１から請求項３のうちのいずれかに記載の移動通信装置の間欠受信方式。
【請求項６】
主タイマ部が作成する主クロック信号を用いて送受信動作を行う無線部を備え間欠受信制御を行う移動通信装置の間欠受信方式であって、
前記主クロック信号の周波数よりも低い発振周波数でクロック信号を発振し、周囲温度の変動に応じて周波数偏差を生ずる特性を有する発振器と、
前記発振器が出力するクロック信号をカウントし、カウント値がタイマ設定値になったときに、間欠受信における非休止期間の開始タイミングを示すタイミング信号を発生する間欠タイマ部と、
前記主タイマ部が作成する主クロック信号と間欠タイマ部が発生したタイミング信号との位相差を検出する位相差検出部と、
前記位相差検出部が検出した位相差に応じた値でタイマ設定値を補正するタイマ設定値補正部と、
前記発振器の周囲温度を検出するための温度検出部と、
間欠受信における休止期間が終了するときに前記温度検出部が検出した周囲温度に応じて、前記位相差検出部に入力されるタイミング信号の位相を補正する位相補正部とを備えた
ことを特徴とする移動通信装置の間欠受信方式。
【請求項７】
位相補正部は、複数の周囲温度のそれぞれにおける発振器の発振周波数のクロック信号を休止期間中にカウントした場合のカウント値と、常温における発振器の発振周波数のクロック信号を休止期間中にカウントした場合のカウント値との差の値が補正値として設定されたデータテーブルと、データテーブルにおける温度検出部が検出した周囲温度に対応するカウント値と間欠タイマ部の出力値とを加算する加算器とを含む
請求項６記載の移動通信装置の間欠受信方式。
【請求項８】
主タイマ部が作成する主クロック信号を用いて送受信動作を行う無線部を備え間欠受信制御を行う移動通信装置の間欠受信方式であって、
前記主クロック信号の周波数よりも低い発振周波数でクロック信号を発振し、周囲温度の変動に応じて周波数偏差を生ずる特性を有する発振器と、
前記発振器が出力するクロック信号をカウントし、カウント値がタイマ設定値になったときに、間欠受信における非休止期間の開始タイミングを示すタイミング信号を発生する間欠タイマ部と、
前記主タイマ部が作成する主クロック信号と間欠タイマ部が発生したタイミング信号との位相差を検出する位相差検出部と、
非休止期間での前記無線部における送信回路の発熱量を算出する発熱量算出部と、
前記発熱量算出部が算出した発熱量にもとづいて前記発振器の周囲温度を推定する温度推定部と、
前記温度推定部が推定した周囲温度に応じた周波数偏差を用いて、前記位相差検出部が検出した位相差に応じた値を補正する位相差補正部と、
前記位相差補正部が補正した位相差に応じた値でタイマ設定値を補正するタイマ設定値補正部とを備えた
ことを特徴とする移動通信装置の間欠受信方式。
【請求項９】
非休止期間中の所定期間における送信時間の割合を検出する送信時間検出部を備え、
発熱量算出部は、前記送信時間検出部が検出した送信時間の割合、送信回路における送信電力、および送信回路における増幅器の効率にもとづいて発熱量を算出する
請求項８記載の移動通信装置の間欠受信方式。
【請求項１０】
位相差補正部は、周囲温度の常温からの差に対応する周波数偏差に応じた値を位相差検出部が検出した位相差に応じた値で補正する
請求項８または請求項９記載の移動通信装置の間欠受信方式。
【請求項１１】
主タイマ部が作成する主クロック信号を用いて送受信動作を行う無線部を備え、主クロック信号の周波数よりも低い発振周波数でクロック信号を発振し周囲温度の変動に応じて周波数偏差を生ずる特性を有する発振器とタイマ設定値とを用いて間欠受信制御を行う移動通信装置で実行される間欠受信方法であって、
前記発振器の周囲温度を検出し、
間欠受信における非休止期間が終了するときに検出した周囲温度の常温からの差に対応する周波数偏差に応じた補正値を決定し、
決定した補正値でタイマ設定値を補正し、
前記発振器が出力するクロック信号をカウントし、カウント値が補正後のタイマ設定値になったときに、間欠受信における非休止期間の開始タイミングを示すタイミング信号を発生する
ことを特徴とする移動通信装置の間欠受信方法。
【請求項１２】
主タイマ部が作成する主クロック信号を用いて送受信動作を行う無線部を備え、主クロック信号の周波数よりも低い発振周波数でクロック信号を発振し周囲温度の変動に応じて周波数偏差を生ずる特性を有する発振器とタイマ設定値とを用いて間欠受信制御を行う移動通信装置で実行される間欠受信方法であって、
主クロック信号とタイミング信号との位相差を検出し、
位相差に応じた値でタイマ設定値を補正し、
前記発振器が出力するクロック信号をカウントし、カウント値がタイマ設定値になったときに、間欠受信における非休止期間の開始タイミングを示すタイミング信号を発生し、
前記発振器の周囲温度を検出し、
間欠受信における休止期間が終了するときに検出した周囲温度に応じて、タイミング信号の位相を補正する
ことを特徴とする移動通信装置の間欠受信方法。
【請求項１３】
主タイマ部が作成する主クロック信号を用いて送受信動作を行う無線部を備え、主クロック信号の周波数よりも低い発振周波数でクロック信号を発振し周囲温度の変動に応じて周波数偏差を生ずる特性を有する発振器とタイマ設定値とを用いて間欠受信制御を行う移動通信装置で実行される移動通信装置の間欠受信方法であって、
主クロック信号とタイミング信号との位相差を検出し、
非休止期間での前記無線部における送信回路の発熱量を算出し、
算出した発熱量にもとづいて前記発振器の周囲温度を推定し、
推定した周囲温度に応じた周波数偏差を用いて、前記位相差に応じた値を補正し、
補正後の位相差に応じた値でタイマ設定値を補正し、
前記発振器が出力するクロック信号をカウントし、カウント値がタイマ設定値になったときに、間欠受信における非休止期間の開始タイミングを示すタイミング信号を発生する
ことを特徴とする移動通信装置の間欠受信方法。
【発明の詳細な説明】
【技術分野】
【０００１】
本発明は、携帯電話機等の移動通信装置において、間欠受信周期を設定するための間欠受信方式および間欠受信方法に関する。
【背景技術】
【０００２】
携帯電話機等の移動通信装置は、消費電力を低減して待ち受け時間を長くする等の目的で、待ち受け状態では間欠受信を行っている。間欠受信では、所定の間欠受信周期で、所定期間、基地局からの信号を受信する。そして、信号を受信しない期間では、動作しなくてよい回路に対する給電を停止する。以下、動作しなくてよい回路に対して給電が停止されている状態を休止状態といい、休止状態にある期間を休止期間という。休止期間は、非受信期間に相当する。休止期間から信号を受信する受信期間に移行する起動タイミングを決めるために、タイマ回路（以下、間欠タイマという。）が用いられる。例えば、休止期間に相当する値をレジスタに設定し、入力クロック信号を計数する間欠タイマのカウント値が、レジスタに設定されている値になったら、受信期間が開始される。すなわち、無線部全体が起動される。
【０００３】
移動通信装置における受信回路を含む無線部には、ＭＨｚオーダの高速な主クロック信号が供給される。主クロック信号を生成するために、温度補償付き水晶発振器（ＴＣＸＯ：Temperature Compensated Crystal Oscillator）が用いられる。ＴＣＸＯは発振周波数が高いので、消費電力が大きい。よって、休止期間では、ＴＣＸＯを含む主クロック信号生成回路に対する給電も停止することが好ましい。
【０００４】
そこで、休止期間において起動タイミングを決めるために、ＴＣＸＯとは異なる低周波クロック信号を発振する低周波発振器を用いる方式が採用されることがある（例えば、特許文献１参照）。
【０００５】
【特許文献１】特開平１０−２０９９５２号公報（段落００３３−００３６、図４）
【発明の開示】
【発明が解決しようとする課題】
【０００６】
しかし、消費電力を低減する等の目的で、起動タイミングを決めるために低周波発振器を用いる場合には、低周波発振器の温度変化にもとづく周波数変化に起因して、起動タイミングが、本来の起動タイミングからずれてしまうおそれがある。
【０００７】
図１２は、一般的な、移動通信装置の間欠受信方式を示すブロック図である。図１２に示す方式では、ＴＣＸＯによる基準周波数発振器４０２が起動すると、自動周波数制御部（ＡＦＣ）４０１によって、ＴＣＸＯが発振するクロック信号の周波数が一定になるように制御される。なお、ＴＣＸＯとして、２６ＭＨｚのクロック信号を発振するものが示されている。また、ＴＣＸＯとして、電圧制御型温度補償水晶発振器（ＶＣＴＣＸＯ：Voltage Controlled  ＴＣＸＯ）が用いられている。
【０００８】
基準周波数発振器４０２から出力されるクロック信号は、位相ロックループ回路（ＰＬＬ：Phase Lock Loop ）４０３に入力される。ＰＬＬ４０３は、内部の電圧制御発振器（ＶＣＯ：Voltage Controlled Oscillator ）が発振するクロック信号の位相を基準周波数発振器４０２から出力されるクロック信号の位相に同期させて出力する。ＰＬＬ４０３からのクロック信号は、主タイマ部４０４に入力される。主タイマ部４０４は、必要であればクロック信号を分周した後、主クロック信号として受信回路４０５を含む無線部に供給する。
【０００９】
図１２に示す例では、間欠受信周期を決定するために、基準周波数発振器４０２とは異なる発振器が用いられている。発振器として、図１２には、３２．７６８ｋＨｚのクロック信号を発振する水晶発振器による時計用発振器（ＲＴＣ：Real Time Clock ）４１４が示されている。ＶＣＴＣＸＯに比べると、時計用発振器４１４は安価であり、また、時計用発振器４１４の消費電流は小さい。休止期間設定部４１３は、例えば、時計用発振器４１４が発振するクロック信号の発振周波数を計測し、計測した発振周波数のクロック信号を休止期間の間でカウントする場合のカウント値を算出する。そして、算出したカウント値をタイマ設定値として出力する。すなわち、間欠タイマ部４１０が時計用発振器４１４からのクロック信号をカウントすべき数がタイマ設定値として出力される。
【００１０】
休止期間において基準周波数発振器４０２を停止させるように構成した場合には、起動タイミングを時計用発振器４１４が発振するクロック信号にもとづいて決定しなければならないが、時計用発振器４１４の周波数精度は高くないので、起動タイミングが本来の起動タイミングからずれる位相ずれが生ずるおそれがある。そこで、間欠タイマ部４１０から出力される信号が、位相差検出回路４０７に入力され、主タイマ部４０４からの主クロック信号も位相差検出回路４０７に入力される。位相差検出回路４０７は、基準周波数発振器４０２が動作しているとき、例えば休止期間に入る直前に、間欠タイマ部４１０から出力される信号と主タイマ部４０４からの主クロック信号との位相差を検出して、タイマオフセット算出部４０８に出力する。
【００１１】
タイマオフセット算出部４０８は、位相差検出回路４０７が検出した位相差をなくす方向の値を加算器４１２に出力する。加算器４１２は、休止期間設定部４１３に設定されている値とタイマオフセット算出部４０８が出力した値とを加算して間欠タイマ設定部４１１に出力する。間欠タイマ設定部４１１は、入力された値に応じたカウント値を間欠タイマ部４１０に設定する。
【００１２】
間欠タイマ部４１０は、休止期間に入ると、時計用発振器４１４から出力されるクロック信号をカウントし、カウント値が設定値になると、起動タイミング信号を受信回路起動部４０９に出力する。そして、受信回路起動部４０９は、起動タイミング信号に応じて受信回路４０９を起動する。このとき、基準周波数発振器４０２等も起動される。なお、基準周波数発振器４０２は、休止期間の開始時に動作を停止する。以上のようにして、時計用発振器４１４から出力されるクロック信号をカウントする間欠タイマ部４１０と主体マイクロコンピュータ部４０４とを同期させ、受信期間に入るべき正確なタイミングで、受信回路４０５等が起動される。
【００１３】
図１３に示すように、時計用発振器４１４は、温度に起因する周波数偏差を有する。一般に２５℃前後である頂点温度Ｔypにおける発振周波数に対する周囲温度ΔＴにおける発振周波数の周波数偏差Δｆ／ｆ０は、Δｆ／ｆ０＝Ｂ＊（Ｔyp−ΔＴ）２で表される（ただし、Ｂは２次温度係数、ｆ０は設計周波数）。例えば、２次温度係数が−０．０４ｐｐｍ／℃２である特性を有する時計用発振器４１４では、２５℃の頂点温度から６０℃高くなった８５℃において、−１４４ｐｐｍの周波数偏差が生ずる。
【００１４】
図１４は、移動通信装置における休止時間と温度との関係の一例を示す説明図である。図１４に示すように、休止期間が経過するに従って、移動通信装置の温度は低下する。図１４には、Δｔの時間が経過すると、装置温度が低下していることが例示されている。休止期間に入る直前の温度状態が常温（例えば、２５℃）と異なる場合、時計用発振器４１４の発振周波数の周波数偏差に起因して、正規の起動タイミングとは異なるタイミングで受信期間が開始されるおそれがある。
【００１５】
無線部における送信回路は自動電力制御回路（ＡＧＣ）を有し、自動電力制御回路は増幅器を含むので、送信回路が動作しているときには送信回路は発熱する。例えば、休止期間が開始される時点の直前まで移動通信装置が送信状態にあった場合には、増幅器の発熱によって時計用発振器４１４の周囲温度は常温よりも高くなっている。その状態でタイマオフセット算出部４０８が算出したオフセットを用いて間欠タイマ部４１０が動作すると、休止期間中では増幅器は発熱せず時計用発振器４１４の周囲温度は低下するので、休止期間中において時計用発振器４１４の発振周波数に偏差が生じ、本来起動タイミング信号を出力する時点からずれた時点で、起動タイミング信号を出力する。
【００１６】
また、休止期間が開始される時点の直前の時計用発振器４１４の周囲温度が常温であったが、移動通信装置のユーザの移動等に伴って周囲温度が上昇するような場合には、休止期間中において時計用発振器４１４の周囲温度は上昇するので、やはり、休止期間中において時計用発振器４１４の発振周波数に偏差が生じ、本来起動タイミング信号を出力する時点からずれた時点で、起動タイミング信号を出力する。
【００１７】
ＣＤＭＡ（Code Division Multiple Access ：符号分割多重）方式で送受信を行う移動通信装置では、受信期間の起動タイミングが本来の起動タイミングからずれる場合には、相関ピーク検出による再同期までの期間が長くなる等の課題が生ずる。また、ＴＤＭＡ（Time Division Multiple Access ：時分割多重）方式で送受信を行う移動通信装置では、バーストの受信時間の精度が悪くなる可能性がある。
【００１８】
そこで、本発明は、周囲温度の変動に応じて周波数偏差を生ずる特性を有する発振器を用いて非休止期間の起動タイミングを決定する場合に、休止期間直前の温度が常温とは異なっている場合でも、起動タイミングの正規のタイミングからのずれをより小さくすることができる移動通信装置の間欠受信方式および間欠受信方法を提供することを目的とする。
【００１９】
なお、特許文献１に記載された発明でも起動タイミングの正規のタイミングからのずれを小さくすることができる。しかし、特許文献１に記載された発明では、起動タイミングを決定する際に用いられる設定値の補正時期を制限することによって補正処理の実行頻度を減らすことを目的としているが、休止期間において常時温度監視を行っている。よって、特許文献１に記載された発明の構成は、以下に説明する本発明の構成とは異なっている。
【課題を解決するための手段】
【００２０】
本発明による移動通信装置の間欠受信方式は、主タイマ部が作成する主クロック信号を用いて送受信動作を行う無線部を備え間欠受信制御を行う移動通信装置の間欠受信方式であって、主クロック信号の周波数よりも低い発振周波数でクロック信号を発振し、周囲温度の変動に応じて周波数偏差を生ずる特性を有する発振器と、発振器が出力するクロック信号をカウントし、カウント値がタイマ設定値になったときに、間欠受信における非休止期間の開始タイミングを示すタイミング信号を発生する間欠タイマ部と、発振器の周囲温度を検出するための温度検出部と、間欠受信における非休止期間が終了するときに温度検出部が検出した周囲温度の常温からの差に対応する周波数偏差に応じた補正値を決定する補正値決定部と、補正値決定部が決定した補正値でタイマ設定値を補正する温度補償部とを備えたことを特徴とする。
【００２１】
本発明による他の態様の移動通信装置の間欠受信方式は、主タイマ部が作成する主クロック信号を用いて送受信動作を行う無線部を備え間欠受信制御を行う移動通信装置の間欠受信方式であって、主クロック信号の周波数よりも低い発振周波数でクロック信号を発振し、周囲温度の変動に応じて周波数偏差を生ずる特性を有する発振器と、発振器が出力するクロック信号をカウントし、カウント値がタイマ設定値になったときに、間欠受信における非休止期間の開始タイミングを示すタイミング信号を発生する間欠タイマ部と、主タイマ部が作成する主クロック信号と間欠タイマ部が発生したタイミング信号との位相差を検出する位相差検出部と、位相差検出部が検出した位相差に応じた値でタイマ設定値を補正するタイマ設定値補正部と、発振器の周囲温度を検出するための温度検出部と、間欠受信における休止期間が終了するときに温度検出部が検出した周囲温度に応じて、位相差検出部に入力されるタイミング信号の位相を補正する位相補正部とを備えたことを特徴とする。
【００２２】
本発明によるさらに他の態様の移動通信装置の間欠受信方式は、主タイマ部が作成する主クロック信号を用いて送受信動作を行う無線部を備え間欠受信制御を行う移動通信装置の間欠受信方式であって、主クロック信号の周波数よりも低い発振周波数でクロック信号を発振し、周囲温度の変動に応じて周波数偏差を生ずる特性を有する発振器と、発振器が出力するクロック信号をカウントし、カウント値がタイマ設定値になったときに、間欠受信における非休止期間の開始タイミングを示すタイミング信号を発生する間欠タイマ部と、主タイマ部が作成する主クロック信号と間欠タイマ部が発生したタイミング信号との位相差を検出する位相差検出部と、非休止期間での無線部における送信回路の発熱量を算出する発熱量算出部と、発熱量算出部が算出した発熱量にもとづいて発振器の周囲温度を推定する温度推定部と、温度推定部が推定した周囲温度に応じた周波数偏差を用いて、位相差検出部が検出した位相差に応じた値を補正する位相差補正部と、位相差補正部が補正した位相差に応じた値でタイマ設定値を補正するタイマ設定値補正部とを備えたことを特徴とする。
【００２３】
本発明による移動通信装置の間欠受信方法は、主タイマ部が作成する主クロック信号を用いて送受信動作を行う無線部を備え、主クロック信号の周波数よりも低い発振周波数でクロック信号を発振し周囲温度の変動に応じて周波数偏差を生ずる特性を有する発振器とタイマ設定値とを用いて間欠受信制御を行う移動通信装置で実行される間欠受信方法であって、発振器の周囲温度を検出し、間欠受信における非休止期間が終了するときに検出した周囲温度の常温からの差に対応する周波数偏差に応じた補正値を決定し、決定した補正値でタイマ設定値を補正し、発振器が出力するクロック信号をカウントし、カウント値が補正後のタイマ設定値になったときに、間欠受信における非休止期間の開始タイミングを示すタイミング信号を発生することを特徴とする。
【００２４】
本発明による他の態様の移動通信装置の間欠受信方法は、主タイマ部が作成する主クロック信号を用いて送受信動作を行う無線部を備え、主クロック信号の周波数よりも低い発振周波数でクロック信号を発振し周囲温度の変動に応じて周波数偏差を生ずる特性を有する発振器とタイマ設定値とを用いて間欠受信制御を行う移動通信装置で実行される間欠受信方法であって、主クロック信号とタイミング信号との位相差を検出し、位相差に応じた値でタイマ設定値を補正し、発振器が出力するクロック信号をカウントし、カウント値がタイマ設定値になったときに、間欠受信における非休止期間の開始タイミングを示すタイミング信号を発生し、発振器の周囲温度を検出し、間欠受信における休止期間が終了するときに検出した周囲温度に応じて、タイミング信号の位相を補正することを特徴とする。
【００２５】
本発明によるさらに他の態様の移動通信装置の間欠受信方法は、主タイマ部が作成する主クロック信号を用いて送受信動作を行う無線部を備え、主クロック信号の周波数よりも低い発振周波数でクロック信号を発振し周囲温度の変動に応じて周波数偏差を生ずる特性を有する発振器とタイマ設定値とを用いて間欠受信制御を行う移動通信装置で実行される移動通信装置の間欠受信方法であって、主クロック信号とタイミング信号との位相差を検出し、非休止期間での無線部における送信回路の発熱量を算出し、算出した発熱量にもとづいて発振器の周囲温度を推定し、推定した周囲温度に応じた周波数偏差を用いて、位相差に応じた値を補正し、補正後の位相差に応じた値でタイマ設定値を補正し、発振器が出力するクロック信号をカウントし、カウント値がタイマ設定値になったときに、間欠受信における非休止期間の開始タイミングを示すタイミング信号を発生することを特徴とする。
【発明の効果】
【００２６】
本発明によれば、休止期間直前の温度が常温とは異なっている場合でも、起動タイミングの正規のタイミングからのずれをより小さくすることができる。
【００２７】
また、休止期間直前または直後の温度が常温とは異なっている場合でも、主タイマが発生する主クロック信号と間欠タイマ部の動作とを迅速に同期させることができる。
【発明を実施するための最良の形態】
【００２８】
図１は、本発明による移動通信装置の間欠受信方式の基本構成を示すブロック図である。図２は、図１に示す間欠受信方式で実行される処理を示すフローチャートである。図１に示す構成では、主タイマ部３１が作成する主クロック信号を用いて送受信動作を行う無線部３２を備え、主クロック信号の周波数よりも低い発振周波数でクロック信号を発振し周囲温度の変動に応じて周波数偏差を生ずる特性を有する発振器１（図７，図８における時計用発振器１１４に相当）とタイマ設定値とを用いて間欠受信制御を行う移動通信装置において、温度検出部３は、発振器１の周囲温度を検出する（ステップＳ１１）。補正値決定部４（図７におけるＬＵＴおよび図８における周波数偏差算出部１１７に相当）は、間欠受信における非休止期間が終了するときに温度検出部３によって検出された周囲温度の常温からの差に対応する周波数偏差に応じた補正値を決定する（ステップＳ１２）。温度補償部５（図７，図８における加算器１１２に相当）は、補正値決定部４が決定した補正値でタイマ設定値を補正する（ステップＳ１３）。例えば、補正値をタイマ設定値に加算する。間欠タイマ部２は、発振器１が出力するクロック信号をカウントし、カウント値が補正後のタイマ設定値になったときに、間欠受信における非休止期間の開始タイミングを示すタイミング信号を発生する（ステップＳ１４）。
【００２９】
図３は、本発明による他の態様の移動通信装置の間欠受信方式の基本構成を示すブロック図である。図４は、図３に示す間欠受信方式で実行される処理を示すフローチャートである。図３に示す構成では、主タイマ部３１が作成する主クロック信号を用いて送受信動作を行う無線部３２を備え、主クロック信号の周波数よりも低い発振周波数でクロック信号を発振し周囲温度の変動に応じて周波数偏差を生ずる特性を有する発振器１（図９における時計用発振器２１４に相当）とタイマ設定値とを用いて間欠受信制御を行う移動通信装置において、位相差検出部６は、主クロック信号とタイミング信号との位相差を検出する（ステップＳ２１）。タイマ設定値補正部７（図９におけるタイマオフセット算出部２０８および加算器２１２に相当）は、位相差検出部６が検出した位相差に応じた値でタイマ設定値を補正する（ステップＳ２２）。間欠タイマ部２は、発振器１が出力するクロック信号をカウントし、カウント値がタイマ設定値になったときに、間欠受信における非休止期間の開始タイミングを示すタイミング信号を発生する（ステップＳ２３）。温度検出部３は、発振器１の周囲温度を検出する（ステップＳ２４）。位相補正部８（図９におけるＬＵＴ２１６および加算器２０６に相当）は、間欠受信における休止期間が終了するときに温度検出部３によって検出された周囲温度に応じて、タイミング信号の位相を補正する（ステップＳ２５）。
【００３０】
図５は、本発明によるさらに他の態様の移動通信装置の間欠受信方式の基本構成を示すブロック図である。図６は、図５に示す間欠受信方式で実行される処理を示すフローチャートである。図５に示す構成では、主タイマ部３１が作成する主クロック信号を用いて送受信動作を行う無線部３２を備え、主クロック信号の周波数よりも低い発振周波数でクロック信号を発振し周囲温度の変動に応じて周波数偏差を生ずる特性を有する発振器１（図１０における時計用発振器３１４に相当）とタイマ設定値とを用いて間欠受信制御を行う移動通信装置において、位相差検出部６は、主クロック信号とタイミング信号との位相差を検出する（ステップＳ３１）。発熱量検出部２１（図１０におけるＰＡ発熱量計算部３１８に相当）は、非休止期間での無線部１における送信回路の発熱量を算出する（ステップＳ３２）。温度推定部２２（図１０におけるＰＡ発熱量計算部３１８に相当）は、発熱量検出部２１が算出した発熱量にもとづいて発振器１の周囲温度を推定する（ステップＳ３３）。位相差補正部９（図１０におけるＬＵＴ３１６および加算器３０６に相当）は、温度推定部２２が推定した周囲温度に応じた周波数偏差を用いて、位相差検出部６による位相差に応じた値を補正する（ステップＳ３４）。そして、タイマ設定値補正部７（図１０におけるタイマオフセット算出部３０８および加算器３１２に相当）は、補正後の位相差に応じた値でタイマ設定値を補正する（ステップＳ３５）。間欠タイマ部２は、発振器１が出力するクロック信号をカウントし、カウント値がタイマ設定値になったときに、間欠受信における非休止期間の開始タイミングを示すタイミング信号を発生する（ステップＳ３６）。
【００３１】
以下、本発明の実施形態を図面を参照して説明する。
【００３２】
実施形態１．
図７は、本発明による移動通信装置の間欠受信方式の第１の実施形態（実施形態１）を示すブロック図である。図７に示す間欠受信方式では、ＴＣＸＯによる基準周波数発振器１０２が起動すると、ＡＦＣ１０１によって、ＴＣＸＯが発振するクロック信号の周波数が一定になるように制御される。なお、ＴＣＸＯとして、２６ＭＨｚのクロック信号を発振するものが示されている。また、ＴＣＸＯとして、ＶＣＴＣＸＯが用いられている。
【００３３】
基準周波数発振器１０２から出力されるクロック信号は、ＰＬＬ１０３に入力される。ＰＬＬ１０３は、内部のＶＣＯが発振するクロック信号の位相を基準周波数発振器１０２から出力されるクロック信号の位相に同期させて出力する。ＰＬＬ１０３からのクロック信号は、主タイマ部１０４に入力される。主タイマ部１０４は、必要であればクロック信号を分周した後、主クロック信号として送信回路（図示せず）および受信回路１０５を含む無線部に供給する。
【００３４】
間欠受信周期を決定するために、基準周波数発振器１０２とは異なる発振器である時計用発振器（ＲＴＣ）１１４が用いられている。ＲＴＣ１１４は、３２．７６８ｋＨｚのクロック信号を発振する。休止期間設定部１１３は、例えば、ＲＴＣ１１４が発振するクロック信号の発振周波数を計測し、計測した発振周波数のクロック信号を休止期間の間でカウントする場合のカウント値を算出する。そして、算出したカウント値をタイマ設定値として出力する。すなわち、間欠タイマ部１１０がＲＴＣ１１４からのクロック信号をカウントすべき数がタイマ設定値として出力される。
【００３５】
間欠タイマ部１１０から出力される信号が、位相差検出回路１０７に入力され、主タイマ部１０４からの主クロック信号も位相差検出回路１０７に入力される。位相差検出回路１０７は、基準周波数発振器１０２が動作しているとき、例えば休止期間に入る直前に、間欠タイマ部１１０から出力される信号と主タイマ部１０４からの主クロック信号との位相差を検出して、タイマオフセット算出部１０８に出力する。
【００３６】
なお、間欠タイマ部１１０から出力される信号を位相差検出回路１０７に入力させることに代えて、ＲＴＣ１１４からのクロック信号を位相差検出回路１０７に入力させるようにしてもよい。そのように構成する場合には、位相差検出回路１０７は、ＲＴＣ１１４からのクロック信号と主タイマ部１０４からの主クロック信号との位相差を検出する。
【００３７】
タイマオフセット算出部１０８は、位相差検出回路１０７が検出した位相差をなくす方向の値を加算器１１２に出力する。加算器１１２は、休止期間設定部１１３に設定されている値とタイマオフセット算出部１０８が出力した値とを加算して間欠タイマ設定部１１１に出力する。間欠タイマ設定部１１１は、入力された値に応じたカウント値を間欠タイマ部１１０に設定する。
【００３８】
間欠タイマ部１１０は、休止期間に入ると、ＲＴＣ１１４から出力されるクロック信号をカウントし、カウント値が設定値になると、起動タイミング信号を受信回路起動部１０９に出力する。そして、受信回路起動部１０９は、起動タイミング信号に応じて受信回路１０９を起動する。このとき、基準周波数発振器１０２等も起動される。なお、基準周波数発振器１０２は、休止期間の開始時に動作を停止する。以上のようにして、ＲＴＣ１１４から出力されるクロック信号をカウントする間欠タイマ部１１０と主体マイクロコンピュータ部１０４とを同期させ、受信期間に入るべき正確なタイミングで、受信回路１０５等が起動される。
【００３９】
以上に説明した構成は、図１２に示された構成と同様であるが、以下、第１の実施形態における特有の構成および動作を説明する。第１の実施形態では、温度計１１５とＬＵＴ（Look Up Table ）１１６とが設けられている。温度計１１５は、移動通信装置に内蔵され、移動通信装置の温度（具体的には、ＲＴＣ１１４の周囲温度）を検出し、検出した温度を示す信号をＬＵＴ１１６に出力する。
【００４０】
ＬＵＴ１１６には、種々の温度におけるＲＴＣ１１４の発振周波数のクロック信号を正規の休止期間においてカウントした場合のカウント値と、常温におけるＲＴＣ１１４の発振周波数のクロック信号を正規の休止期間においてカウントした場合のカウント値との差の値が補正値として設定されている。なお、種々の温度とは、例えば、移動通信装置の動作保証温度（一例として、−２０〜＋７０℃）における一例としての１℃毎の温度である。
【００４１】
ＬＵＴ１１６は、温度計１１５からの信号が示す温度に対応する補正値を出力するのであるが、第１の実施形態では、休止期間直前に、すなわち非休止期間が終了するときに、加算器１１２に補正値を出力するように制御される。ＬＵＴ１１６を制御する主体は、例えば、間欠タイマ部１１０である。
【００４２】
加算器１１２は、休止期間設定部１１３に設定されている値とタイマオフセット算出部１０８が出力した値とを加算し、さらに、ＬＵＴ１１６が出力した補正値を加算し、加算値を間欠タイマ設定部１１１に出力する。
【００４３】
休止期間に入る直前の温度状態が常温よりも高温になっている場合に、温度計１１５およびＬＵＴ１１６が存在しないときには、高温でのＲＴＣ１１４の発振周波数にもとづいて非休止期間の起動タイミングが決定されるので、休止期間中に周囲温度が常温にまで低下した場合には正規の起動タイミングとは異なるタイミングで受信期間が開始されるおそれがある。しかし、この実施形態では、常温でのＲＴＣ１１４の発振周波数にもとづいて非休止期間の起動タイミングが決定されるので、間欠タイマ部１１０が決定する起動タイミングの正規の起動タイミングからのずれを減らすことができる。
【００４４】
なお、第１の実施形態では、ＬＵＴ１１６が出力する補正値を、休止期間設定部１１３に設定されている値とタイマオフセット算出部１０８が出力した値との加算値に対してさらに加算するように構成したが、休止期間設定部１１３に設定されている値とタイマオフセット算出部１０８が出力した値とを加算した値に対して、ＬＵＴ１１６が出力する補正値を乗算するようにしてもよい。乗算するように構成する場合には、ＬＵＴ１１６に、種々の温度に対応したタイマ設定値に対する補正係数が設定される。
【００４５】
実施形態２．
図８は、本発明による移動通信装置の間欠受信方式の第２の実施形態（実施形態２）を示すブロック図である。図８に示す間欠受信方式では、図７に示すＬＵＴ１６に代えて周波数偏差算出部１１７が設けられている。その他の構成は、図７に示された第１の実施形態における構成と同じである。
【００４６】
周波数偏差算出部１１７は、休止期間直前に、すなわち非休止期間が終了するときに、温度に応じた補正値を加算器１１２に出力する。周波数偏差算出部１１７は、温度計１１５が出力した信号が示す温度におけるＲＴＣ１１４の発振周波数のクロック信号を正規の休止期間においてカウントした場合のカウント値と、常温におけるＲＴＣ１１４の発振周波数のクロック信号を正規の休止期間においてカウントした場合のカウント値との差の値を補正値として出力する。
【００４７】
よって、加算器１１２は、第１の実施形態におけるＬＵＴ１１６から入力した補正値と同じ値の補正値を入力することになり、第１の実施形態の場合と同様の効果を得ることができる。
【００４８】
実施形態３．
図９は、本発明による移動通信装置の間欠受信方式の第３の実施形態（実施形態３）を示すブロック図である。図９に示す間欠受信方式では、ＴＣＸＯによる基準周波数発振器２０２が起動すると、ＡＦＣ２０１によって、ＴＣＸＯが発振するクロック信号の周波数が一定になるように制御される。なお、ＴＣＸＯとして、２６ＭＨｚのクロック信号を発振するものが示されている。また、ＴＣＸＯとして、ＶＣＴＣＸＯが用いられている。
【００４９】
基準周波数発振器２０２から出力されるクロック信号は、ＰＬＬ２０３に入力される。ＰＬＬ２０３は、内部のＶＣＯが発振するクロック信号の位相を基準周波数発振器２０２から出力されるクロック信号の位相に同期させて出力する。ＰＬＬ２０３からのクロック信号は、主タイマ部２０４に入力される。主タイマ部２０４は、必要であればクロック信号を分周した後、主クロック信号として送信回路（図示せず）および受信回路２０５を含む無線部に供給する。
【００５０】
間欠受信周期を決定するために、基準周波数発振器２０２とは異なる発振器である時計用発振器（ＲＴＣ）２１４が用いられている。ＲＴＣ２１４は、３２．７６８ｋＨｚのクロック信号を発振する。休止期間設定部２１３は、例えば、ＲＴＣ２１４が発振するクロック信号の発振周波数を計測し、計測した発振周波数のクロック信号を休止期間の間でカウントする場合のカウント値を算出する。そして、算出したカウント値をタイマ設定値として出力する。すなわち、間欠タイマ部２１０がＲＴＣ２１４からのクロック信号をカウントすべき数がタイマ設定値として出力される。
【００５１】
間欠タイマ部２１０から出力される信号が、位相差検出回路２０７に入力され、主タイマ部２０４からの主クロック信号も位相差検出回路２０７に入力される。位相差検出回路２０７は、基準周波数発振器２０２が動作しているとき、例えば休止期間に入る直前に、間欠タイマ部２１０から出力される信号と主タイマ部２０４からの主クロック信号との位相差を検出して、タイマオフセット算出部２０８に出力する。
【００５２】
なお、間欠タイマ部２１０から出力される信号を位相差検出回路２０７に入力させることに代えて、ＲＴＣ２１４からのクロック信号を位相差検出回路２０７に入力させるようにしてもよい。そのように構成する場合には、位相差検出回路２０７は、ＲＴＣ２１４からのクロック信号と主タイマ部１０４からの主クロック信号との位相差を検出する。
【００５３】
タイマオフセット算出部２０８は、位相差検出回路２０７が検出した位相差をなくす方向の値を加算器２１２に出力する。加算器２１２は、休止期間設定部２１３に設定されている値とタイマオフセット算出部２０８が出力した値とを加算して間欠タイマ設定部２１１に出力する。間欠タイマ設定部２１１は、入力された値に応じたカウント値を間欠タイマ部２１０に設定する。
【００５４】
間欠タイマ部２１０は、休止期間に入ると、ＲＴＣ２１４から出力されるクロック信号をカウントし、カウント値が設定値になると、起動タイミング信号を受信回路起動部２０９に出力する。そして、受信回路起動部２０９は、起動タイミング信号に応じて受信回路２０９を起動する。このとき、基準周波数発振器２０２等も起動される。なお、基準周波数発振器２０２は、休止期間の開始時に動作を停止する。以上のようにして、ＲＴＣ２１４から出力されるクロック信号をカウントする間欠タイマ部２１０と主体マイクロコンピュータ部２０４とを同期させ、受信期間に入るべき正確なタイミングで、受信回路２０５等が起動される。
【００５５】
なお、図９には、休止期間では給電されず、非休止期間においてのみ給電される回路部分２２０が明示されている。
【００５６】
以上に説明した構成は、図１２に示された構成と同様であるが、以下、第３の実施形態における特有の構成および動作を説明する。第３の実施形態では、温度計２１５、ＬＵＴ２１６および加算器２０６が設けられている。温度計２１５は、移動通信装置に内蔵され、検出した温度を示す信号をＬＵＴ２１６に出力する。温度計２１５は、無線部から離れた位置に設置されているが、ＲＴＣ２１４の周囲温度を検出するためにＲＴＣ２１４の近傍に設置されていることが好ましい。
【００５７】
ＬＵＴ２１６には、種々の温度におけるＲＴＣ２１４の発振周波数のクロック信号を正規の休止期間においてカウントした場合のカウント値と、常温におけるＲＴＣ２１４の発振周波数のクロック信号を正規の休止期間においてカウントした場合のカウント値との差の値が補正値として設定されている。なお、種々の温度とは、例えば、移動通信装置の動作保証温度（一例として、−２０〜＋７０℃）における一例としての１℃毎の温度である。
【００５８】
ＬＵＴ２１６は、温度計２１５からの信号が示す温度に対応する補正値を出力するのであるが、第３の実施形態では、休止期間満了直前に、すなわち休止期間が終了するときに、加算器２０６に補正値を出力するように制御される。ＬＵＴ２１６を制御する主体は、例えば、間欠タイマ部２１０である。
【００５９】
非休止期間が開始されると、加算器２０６は、間欠タイマ部２１０が出力する起動タイミング信号の位相を補正する。すなわち、補正値の分だけ起動タイミング信号をずらす。なお、ＲＴＣ２１４の周囲温度が頂点温度からずれている場合には、発振周波数は低下する（図１３参照）。よって、周囲温度が頂点温度からずれている場合に間欠タイマ部２１０が決定した起動タイミングは、本来の起動タイミングから遅れている。そこで、本実施形態では、間欠タイマ部２１０は、決定した起動タイミングよりも前に、加算器２０６に対して信号を出力する。そのように構成すれば、間欠タイマ部２１０が決定した起動タイミングが本来の起動タイミングから遅れる場合でも、補正値の分だけ位相をずらすことによって、本来の起動タイミングにより近い時期に位相差検出回路２０７に対して起動タイミング信号が入力される。
【００６０】
休止期間が開始される時点の直前のＲＴＣ２１４の周囲温度が常温であったが、移動通信装置のユーザの移動等に伴って周囲温度が上昇した場合には、常温でのＲＴＣ２１４の発振周波数にもとづいて非休止期間の起動タイミングが決定されているので、本来起動タイミング信号を出力する時点からずれた時点で、起動タイミング信号を出力する。この実施形態では、間欠タイマ部２１０が決定した起動タイミングを周囲温度に応じて補正するので、非休止期間が開始される時点により近い時期に位相差検出回路２０７に対して起動タイミング信号が入力され、主タイマ部４０４が作成する主クロック信号との同期をとりやすくなる。
【００６１】
なお、この実施形態と第１の実施形態または第２の実施形態を併用してもよい。
【００６２】
実施形態４．
図１０は、本発明による移動通信装置の間欠受信方式の第４の実施形態（実施形態３）を示すブロック図である。図１０に示す間欠受信方式では、ＴＣＸＯによる基準周波数発振器３０２が起動すると、ＡＦＣ３０１によって、ＴＣＸＯが発振するクロック信号の周波数が一定になるように制御される。なお、ＴＣＸＯとして、２６ＭＨｚのクロック信号を発振するものが示されている。また、ＴＣＸＯとして、ＶＣＴＣＸＯが用いられている。
【００６３】
基準周波数発振器３０２から出力されるクロック信号は、ＰＬＬ３０３に入力される。ＰＬＬ３０３は、内部のＶＣＯが発振するクロック信号の位相を基準周波数発振器３０２から出力されるクロック信号の位相に同期させて出力する。ＰＬＬ３０３からのクロック信号は、主タイマ部３０４に入力される。主タイマ部３０４は、必要であればクロック信号を分周した後、主クロック信号として受信回路３０５を含む無線部に供給する。
【００６４】
間欠受信周期を決定するために、基準周波数発振器３０２とは異なる発振器である時計用発振器（ＲＴＣ）３１４が用いられている。ＲＴＣ３１４は、３２．７６８ｋＨｚのクロック信号を発振する。休止期間設定部３１３は、例えば、ＲＴＣ３１４が発振するクロック信号の発振周波数を計測し、計測した発振周波数のクロック信号を休止期間の間でカウントする場合のカウント値を算出する。そして、算出したカウント値をタイマ設定値として出力する。すなわち、間欠タイマ部３１０がＲＴＣ３１４からのクロック信号をカウントすべき数がタイマ設定値として出力される。
【００６５】
間欠タイマ部３１０から出力される信号が、位相差検出回路３０７に入力され、主タイマ部３０４からの主クロック信号も位相差検出回路３０７に入力される。位相差検出回路３０７は、基準周波数発振器３０２が動作しているとき、例えば休止期間に入る直前に、間欠タイマ部３１０から出力される信号と主タイマ部３０４からの主クロック信号との位相差を検出して、タイマオフセット算出部３０８に出力する。
【００６６】
なお、間欠タイマ部３１０から出力される信号を位相差検出回路３０７に入力させることに代えて、ＲＴＣ３１４からのクロック信号を位相差検出回路３０７に入力させるようにしてもよい。そのように構成する場合には、位相差検出回路３０７は、ＲＴＣ３１４からのクロック信号と主タイマ部３０４からの主クロック信号との位相差を検出する。
【００６７】
タイマオフセット算出部３０８は、位相差検出回路３０７が検出した位相差をなくす方向の値を加算器３１２に出力する。加算器３１２は、休止期間設定部３１３に設定されている値とタイマオフセット算出部３０８が出力した値とを加算して間欠タイマ設定部３１１に出力する。間欠タイマ設定部３１１は、入力された値に応じたカウント値を間欠タイマ部３１０に設定する。
【００６８】
間欠タイマ部３１０は、休止期間に入ると、ＲＴＣ３１４から出力されるクロック信号をカウントし、カウント値が設定値になると、起動タイミング信号を受信回路起動部３０９に出力する。そして、受信回路起動部３０９は、起動タイミング信号に応じて受信回路３０９を起動する。このとき、基準周波数発振器３０２等も起動される。なお、基準周波数発振器３０２は、休止期間の開始時に動作を停止する。以上のようにして、ＲＴＣ３１４から出力されるクロック信号をカウントする間欠タイマ部３１０と主体マイクロコンピュータ部３０４とを同期させ、受信期間に入るべき正確なタイミングで、受信回路３０５等が起動される。
【００６９】
なお、図１０には、非休止期間においてのみ給電される回路部分３２０が明示されている。
【００７０】
以上に説明した構成は、図１２に示された構成と同様であるが、以下、第４の実施形態における特有の構成および動作を説明する。
【００７１】
無線部における送信回路には自動電力制御回路が含まれて、自動電力制御回路は増幅器を含むので、送信回路が動作しているときには送信回路は発熱する。休止期間が開始される時点の直前まで移動通信装置が送信状態にあった場合には、増幅器の発熱によってＲＴＣ３１４の周囲温度は常温よりも高くなっている。よって、高温でのＲＴＣ３１４の発振周波数にもとづいて非休止期間の起動タイミングが決定されるので、休止期間中に周囲温度が常温にまで低下した場合には正規の起動タイミングとは異なるタイミングで受信期間が開始されるおそれがある。
【００７２】
第４の実施形態では、非休止期間における増幅器の発熱量を算出し、算出した発熱量から温度を推定し、推定した温度に応じてタイマ設定値を補正する。具体的には、送信制御部３１９が、非休止期間における増幅器の出力電力Ｐout 、および非休止期間内に設定された監視期間ｔにおける送信期間の割合（送信デューティ比）Ｄを検出する。そして、検出した出力電力Ｐout （Ｗ）、送信デューティ比Ｄおよび増幅器の電力効率ηを示すデータをＰＡ（Power Amplifier ）発熱量計算部３１８に出力する。なお、増幅器の電力効率ηは既知であり、あらかじめ送信制御部３１９に記憶されている。
【００７３】
ＰＡ発熱量計算部３１８は、送信制御部３１９から入力されたデータを用いて増幅器の発熱量を算出する。発熱量を、例えば、Ｐout ＊Ｄ＊ｔ／ηの計算式で求める。さらに、算出した発熱量からＲＴＣ３１４の周囲温度を推定する。
【００７４】
図１１は、増幅器の発熱量と装置温度との関係の一例を示す説明図である。図１１に示す関係を表すデータをあらかじめＰＡ発熱量計算部３１８に設定しておけば、算出した発熱量にもとづいてＲＴＣ３１４の周囲温度を推定することができる。なお、例えば装置温度をＲＴＣ３１４の周囲温度とみなす。
【００７５】
ＬＵＴ３１６には、第１の実施形態の場合と同様に、種々の温度におけるＲＴＣ３１４の発振周波数のクロック信号を正規の休止期間においてカウントした場合のカウント値と、常温におけるＲＴＣ３１４の発振周波数のクロック信号を正規の休止期間においてカウントした場合のカウント値との差の値が補正値として設定されている。
【００７６】
ＬＵＴ３１６は、ＰＡ発熱量計算部３１８が推定した温度に対応する補正値を出力するのであるが、第４の実施形態では、休止期間直前に、すなわち非休止期間が終了するときに、加算器３０６に補正値を出力するように制御される。ＬＵＴ３１６を制御する主体は、例えば、間欠タイマ部３１０である。
【００７７】
非休止期間が開始されると、加算器３０６は、位相差検出回路３０７が出力する値にＬＵＴ１１６が出力した補正値を加算し、加算値をタイマオフセット算出部３０８に出力する。タイマオフセット算出部３０８は、位相差検出回路３０７が検出した位相差をなくす方向の値を加算器３１２に出力するのであるが、この実施形態では、位相差検出回路３０７の出力は、ＰＡ発熱量計算部３１８が推定した温度に応じて補正されている。従って、第１の実施形態の場合と同様に、休止期間に入る直前の温度状態が常温よりも高温になっている場合に、加算器３１２等が存在しないときには高温でのＲＴＣ３１４の発振周波数にもとづいて非休止期間の起動タイミングが決定されて休止期間中に周囲温度が常温にまで低下した場合には正規の起動タイミングとは異なるタイミングで受信期間が開始されるおそれがあるのに対して、この実施形態では、常温でのＲＴＣ３１４の発振周波数にもとづいて非休止期間の起動タイミングが決定されることになり、間欠タイマ部３１０が決定する起動タイミングの正規の起動タイミングからのずれを減らすことができる。
【００７８】
さらに、第４の実施形態では、温度計が設置されていない場合でも、非休止期間の起動タイミングを正確に決定するための温度に応じた補正を行うことができるという効果がある。
【００７９】
なお、ＬＵＴ３１６から出力される補正値を位相差検出回路３０７の出力に加算することに代えて、第１の実施形態の場合と同様に、加算器３１２が、休止期間設定部３１３に設定されている値とタイマオフセット算出部３０８が出力した値に、さらにＬＵＴ３１６から出力される補正値を加算するようにしてもよい。
【産業上の利用可能性】
【００８０】
本発明を、間欠受信制御を行う移動通信装置に好適に適用することができる。
【図面の簡単な説明】
【００８１】
【図１】本発明による移動通信装置の間欠受信方式の基本構成を示すブロック図である。
【図２】図１に示す間欠受信方式で実行される処理を示すフローチャートである。
【図３】本発明による他の態様の移動通信装置の間欠受信方式の基本構成を示すブロック図である。
【図４】図３に示す間欠受信方式で実行される処理を示すフローチャートである。
【図５】本発明によるさらに他の態様の移動通信装置の間欠受信方式の基本構成を示すブロック図である。
【図６】図４に示す間欠受信方式で実行される処理を示すフローチャートである。
【図７】移動通信装置の間欠受信方式の第１の実施形態を示すブロック図である。
【図８】移動通信装置の間欠受信方式の第２の実施形態を示すブロック図である。
【図９】移動通信装置の間欠受信方式の第３の実施形態を示すブロック図である。
【図１０】移動通信装置の間欠受信方式の第４の実施形態を示すブロック図である。
【図１１】増幅器の発熱量と装置温度との関係の一例を示す説明図である。
【図１２】一般的な、移動通信装置の間欠受信方式を示すブロック図である。
【図１３】水晶発振器の温度−周波数特性の一例を示す説明図である。
【図１４】移動通信装置における休止時間と温度との関係の一例を示す説明図である。
【符号の説明】
【００８２】
１      発振器
２      間欠タイマ部
３      温度検出部
４      補正値決定部
５      温度補償部
６      位相差検出部
７      タイマ設定値補正部
８      位相補正部
９      位相差補正部
２１    発熱量算出部
２２    温度推定部
３１    主タイマ部
３２    無線部
１０１，２０１，３０１，４０１  自動周波数制御部（ＡＦＣ）
１０２，２０２，３０２，４０２  基準周波数発振器（ＴＣＸＯ）
１０３，２０３，３０３，４０３  位相ロックループ（ＰＬＬ）
１０４，２０４，３０４，４０４  主タイマ部
１０５，２０５，３０５，４０５  受信回路
１０７，２０７，３０７，４０７  位相差検出回路
１０８，２０８，３０８，４０８  タイマオフセット算出部
１０９，２０９，３０９，４０９  受信回路起動部
１１０，２１０，３１０，４１０  間欠タイマ部
１１１，２１１，３１１，４１１  間欠タイマ設定部
１１２，２１２，３１２，４１２  加算器
１１３，２１３，３１３，４１３  休止期間設定部
１１４，２１４，３１４，４１４  時計用発振器（ＲＴＣ）
１１５，２１５  温度計
１１６，２１６，３１６  ＬＵＴ
１１７  周波数偏差算出部
３１８  ＰＡ発熱量計算部
３１９  送信制御部
【図１】
2009290826.tif 000003
【図２】
2009290826.tif 000004
【図３】
2009290826.tif 000005
【図４】
2009290826.tif 000006
【図５】
2009290826.tif 000007
【図６】
2009290826.tif 000008
【図７】
2009290826.tif 000009
【図８】
2009290826.tif 000010
【図９】
2009290826.tif 000011
【図１０】
2009290826.tif 000012
【図１１】
2009290826.tif 000013
【図１２】
2009290826.tif 000014
【図１３】
2009290826.tif 000015
【図１４】
2009290826.tif 000016